(57)【要約】【課題】照明装置を容易に取り付けることができる照明装置の取付構造を提供すること。【解決手段】取付面に固定された取付金具７に収容され、取付金具７の弾性回復力によって取り付けられた照明装置の取付構造であって、照明装置１が側方に突出するように形成された凸部２１ｂ１を有するとともに、取付金具７が照明装置１を収容した場合に凸部２１ｂ１が嵌る孔７ｂ１，７ｂ２を有したので、照明装置１に形成された凸部２１ｂ１を取付金具７の孔７ｂ１（７ｂ２）に嵌めれば、照明装置１が取付金具７に取り付けられることになり、照明装置１を容易に取り付けることができる。【選択図】        図７−１
2009176530.tif 000002
【特許請求の範囲】
【請求項１】
取付面に固定された取付金具に収容され、前記取付金具の弾性回復力によって取り付けられた照明装置の取付構造であって、
前記照明装置が側方に突出するように形成された凸部を有するとともに、前記取付金具が前記照明装置を収容した場合に前記凸部が嵌る凹部を有したことを特徴とする照明装置の取付構造。
【請求項２】
前記取付金具は、前記照明装置が第一の姿勢となった場合に前記凸部が嵌る第一の凹部と、前記照明装置が第一の姿勢と異なる第二の姿勢となった場合に前記凸部が嵌る第二の凹部とを有したことを特徴とする請求項１に記載の照明装置の取付構造。
【請求項３】
弾性変形することにより、照明装置を取り付けた取付金具に装着可能であって、装着した場合に取付金具の弾性変形を阻止する安全カバーを備えたことを特徴とする請求項１または２に記載の照明装置の取付構造。
【発明の詳細な説明】
【技術分野】
【０００１】
本発明は、照明装置の取付構造に関するものであって、特に、ショーケースに陳列された商品を照らす照明装置に好適なものである。
【背景技術】
【０００２】
ショーケースに配設され、ショーケースに陳列された商品を照明するものとして、蛍光灯が広く知られている。蛍光灯は、反射板とともにショーケースに配設され、蛍光灯から照射された光と、蛍光灯から照射され、反射板で反射された光とがショーケースに陳列された商品を照明するようになっている。反射板は、反射効率を向上させ、より効率的に照明するべく、光反射効率の高い樹脂薄膜により構成し、光を乱反射させるようにしたものが提案されている（たとえば、特許文献１参照）。
【０００３】
しかしながら、蛍光灯は、光を照射するだけでなく、多量の熱を発熱するため、冷蔵した商品を照明する照明装置として必ずしも好ましいものとはいえない。このため、蛍光灯に代えて、ＬＥＤを用いた照明装置によって商品を照らすことが考えられている。
【０００４】
【特許文献１】特開２００２−３９６７２号公報
【発明の開示】
【発明が解決しようとする課題】
【０００５】
しかしながら、ＬＥＤを用いた照明装置であっても、蛍光灯と同様に、交換する必要があり、照明装置を容易に交換できるようにする必要がある。
【０００６】
本発明は、上記実情に鑑みて、照明装置を容易に取り付けることができる照明装置の取付構造を提供することを目的とする。
【課題を解決するための手段】
【０００７】
上記の目的を達成するために、本発明にかかる照明装置の取付構造は、取付面に固定された取付金具に収容され、前記取付金具の弾性回復力によって取り付けられた照明装置の取付構造であって、前記照明装置が側方に突出するように形成された凸部を有するとともに、前記取付金具が前記照明装置を収容した場合に前記凸部が嵌る凹部を有したことを特徴とする。
【０００８】
また、本発明の請求項２にかかる照明装置の取付構造は、上記発明において、前記取付金具は、前記照明装置が第一の姿勢となった場合に前記凸部が嵌る第一の凹部と、前記照明装置が第一の姿勢と異なる第二の姿勢となった場合に前記凸部が嵌る第二の凹部とを有したことを特徴とする。
【０００９】
また、本発明の請求項３にかかる照明装置の取付構造は、上記発明において、弾性変形することにより、照明装置を取り付けた取付金具に装着可能であって、装着した場合に取付金具の弾性変形を阻止する安全カバーを備えたことを特徴とする。
【発明の効果】
【００１０】
本発明にかかる照明装置の取付構造は、照明装置に形成された凸部を取付金具の凹部に嵌めれば、照明装置が取付金具に取り付けられることになるので、照明装置を容易に取り付けることができる。
【００１１】
また、本発明にかかる照明装置の取付構造は、照明装置が第一の姿勢となった場合に凸部が嵌る第一の凹部と、照明装置が第一の姿勢と異なる第二の姿勢となった場合に凸部が嵌る第二の凹部とを取付金具に有したので、陳列する商品によって照明装置の姿勢を変えることが可能である。
【発明を実施するための最良の形態】
【００１２】
以下に添付図面を参照して、本発明にかかる照明装置の取付構造の好適な実施の形態を詳細に説明する。なお、この実施の形態によりこの発明が限定されるものではない。
【００１３】
図１および図２は、本発明に係る照明装置の取付構造を適用したショーケースを示す概念図（側面図）である。図１および図２に示すショーケース１００は、陳列室１０１の前面が開口したオープンショーケースと称されるものであって、任意の数の陳列棚１０２を陳列室１０１の任意の位置に取り付けることができる。また、陳列する商品によって、陳列棚１０２の取付角度を変更することもでき、肉、または魚等のトレイ入りの商品を陳列する場合には、図１に示すように、陳列棚１０２が前下がりとなるように傾斜させて取り付けられ、缶入り飲料、ペットボトル入り飲料、パック入り飲料等の飲料商品を陳列する場合には、図２に示すように、陳列棚１０２が水平となるように取り付けられる。
【００１４】
図１および図２に示すように、陳列棚１０２は、上段から下段に向けて少しずつ奥行き寸法が大きくなるように構成してあり、買い物客が商品を取り出しやすいようになっている。陳列棚１０２は、前面に棚タグモール１０３を備え、商品名および単価が印刷等された値札（図示せず）をフェンス１０４によって取り付けできるようになっている。
【００１５】
図１および図２に示すように、ショーケース１００の開口上面、陳列室１０１の上面および各陳列棚１０２の下面には、照明装置１が配設してある。照明装置１は、ショーケース１００に収納した商品を均一に照らすように配設したもので、開口上面に配設した照明装置１は、陳列室１０１の前面全体を均一に照らし、陳列室上面および各陳列棚の下面に配設した照明装置１は、自身（照明装置１）の下方に陳列された商品を照らすようになっている。
【００１６】
なお、図１に示すように、陳列棚１０２が前下がりとなるように傾斜させて取り付けられ、トレイ入りの商品が陳列される場合には、照明装置１は、陳列棚１０２の上面、すなわち商品の上面を照らすようになっており、図２に示すように、陳列棚１０２が水平となるように取り付けられ、飲料商品が陳列される場合には、照明装置１は、陳列室１０１の前面、すなわち商品の側面（フェイス）を照らすようになっている。
【００１７】
図３に示すように、照明装置１は、一対のＬＥＤユニット（光源）２、導光板（導光部材）３、反射シート４（図５参照）、ステー５を有している。
【００１８】
一対のＬＥＤユニット２は、光源として機能するものであって、一方のＬＥＤユニット２と、他方のＬＥＤユニット２とは、同一の形状および同一の構造を有している。ＬＥＤユニット２は、図４に示すように、ケース２１にＬＥＤ基板（プリント基板）２２を収容したものである。ケース２１は、放熱性を考慮してアルミによって作成され、側方が開口した箱状を呈しており、ケース２１にＬＥＤ基板２２を収容した状態で、導光板３および反射シート４を収容したステー５が嵌合するようになっている。また、ケース２１の開口に対して反対側となる外表面には、矩形の凹部を複数形成することによりフィンが構成されており（図示せず）、ＬＥＤユニット２に熱がこもらないようになっている。
【００１９】
ＬＥＤ基板２２は、供給された電力によって発光し、光を出射するように構成したもので、図４に示すように、導光板３に対向する面には、光を反射させる反射部材２３を貼着等するとともに、三つの白色ＬＥＤ（Light-emitting diode）２４が横方向一列に配設してある。これらの白色ＬＥＤ２４は、半球形状を呈しており、基準となる色調（白色）の光を出射する基準色出射光源を構成するようになっている。また、三つの白色ＬＥＤ２４のうち中央に位置する白色ＬＥＤ２４を囲むように、四つの赤色ＬＥＤ２５が長方形の頂点をなすように配設してある。赤色ＬＥＤ２５は、基準となる色調を補う色調（赤色）の光を出射する補色出射光源を構成するようになっている。したがって、白色ＬＥＤ２４のみから光を出射させた場合には青みを帯びた光が導光板３に入射され、白色ＬＥＤ２４と赤色ＬＥＤ２５とから光を出射させた場合には赤みを帯びた光が導光板３に入射されることになる。
【００２０】
ケース２１に収容されたＬＥＤ基板２２は、ネジ止めされることによって、ケース２１に取り付けられ、シリコン系樹脂（図示せず）によって封止されている。
【００２１】
導光板３は、一端面から入射された光を反射させることにより、側面から照射させるものであって、アクリル系の透明な材料で構成してある。導光板３は、図５に示すように、偏平な矩形断面を有する板状体であって、反射シート４が密着する一側面（上面）３ａに反射部３１が形成してある。反射部３１は、一端面から入射させる光の入射方向と平行に形成した溝３１ａであって、左右の両端面近傍において粗であって、両端面から中央に向かうにつれて密となるように、複数形成してある。すなわち、左右両端面近傍では溝３１ａの数を少数とし、両端面から中央に向かうにつれて密となるように順次溝３１ａの数を増やし、中央で溝３１ａの数が多数となるように形成してある。この溝３１ａは、レーザー加工により形成したものでよく、溝３１ａを形成する斜面を鏡面にする必要はない。むしろ、規則性を有する粗面であって、効率よく光が反射するように形成されていることが好ましい。
【００２２】
反射シート４は、導光板３に形成された反射部３１で反射された光をさらに一側面（上面）３ａに対向する他側面（下面）３ｂに反射（鏡面反射および拡散反射）させるものであって、白色のＰＥＴ（Polyethylene Terephthalate）により構成してある。反射シート４は、図５に示すように、導光板３の一側面（上面）とその両側面とを覆うものであって、断面コの字状に折り曲げて形成してある。
【００２３】
反射シート４は、その表面に微細な凹凸を有し、反射部３１で反射された光を鏡面反射させるのみならず、拡散反射させるようになっている。反射シート４は、たとえば、炭酸ガスを用いてＰＥＴ樹脂を発泡させたものであり、反射シート４の表面に構成された気泡が微細な凹凸を構成することになる。
【００２４】
ステー５は、反射シート４を密着させた導光板３を収容し、端部に上述したＬＥＤユニット２が嵌合されるものであって、放熱性を考慮してアルミによって作成されている。ステー５は、断面が略コの字状となるように形成してあり、反射シート４と導光板３とを収容した状態で、ステー下面５ａと導光板３の他側面（下面）３ｂとが面一となるようになっている。また、ステー５は、反射シート４と導光板３とを収容した状態で、導光板３の側方に空隙５１を画成するようになっている。
【００２５】
このように構成された照明装置１は、下記の実施の形態１〜実施の形態３に示した照明装置の取付構造によって、ショーケース１００に取り付けられるようになっている。以下、実施の形態１〜実施の形態３にかかる照明装置の取付構造を詳細に説明する。
【００２６】
（実施の形態１）
図６は、本発明の実施の形態１である照明装置の取付構造を示す図であって、図６−１は取付前の状態、図６−２は取付後の状態、図６−３は安全カバーを取り付けた状態を示したものである。
【００２７】
本実施の形態１である照明装置の取付構造は、照明装置１と左右一対となる取付金具６とを組み合わせたものであって、この取付構造によってショーケース１００に照明装置１が取り付けられるようになっている。
【００２８】
本実施の形態１で取り付けられる照明装置１は、図６に示すように、側方に突出するように半円柱状の凸条（凸部）２１ａがケース２１の上部両側面に形成してあり、この凸条２１ａに取付金具６が作用することにより、照明装置１が取り付けられるようになっている。
【００２９】
本実施の形態１で用いられる取付金具６は、ショーケース１００の取付面、すなわち、ショーケース１００の開口上面、陳列室１０１の上面および各陳列棚１０２の下面にスポット溶接等によりそれぞれ固定されている。取付金具６は、弾性回復力を有する鋼材（たとえば、バネ鋼材）によって構成され、照明装置１の一部が収容されるようになっている。具体的には、照明装置１のケース２１の一部（上部）が収容されるようになっている（図６−２参照）。
【００３０】
図６−１に示すように、取付金具６には、照明装置１のケース２１の一部を収容した場合にケース２１の凸条（凸部）２１ａが嵌る腕部（凹部）６ａと、腕部６ａから外方に屈曲した端部６ｂとが形成してある。
【００３１】
実施の形態１である照明装置の取付構造によれば、左右一対となる取付金具６のそれぞれ一方の腕部６ａに照明装置１のそれぞれ一方の凸条２１ａを嵌め込んだ後、取付金具６の弾性回復力に抗して、取付金具６のそれぞれ他方の腕部６ａに照明装置１のそれぞれ他方の凸条２１ａを嵌め込めば、図６−２に示すように、取付金具６の弾性回復力がケース２１に作用することになり、照明装置１が取り付けられることになる。
【００３２】
このように、実施の形態１である照明装置の取付構造によれば、照明装置１のケース２１に形成された凸条２１ａを取付金具６の腕部６ａに嵌めれば、照明装置１が取付金具６に取り付けられることになるので、照明装置１を容易に取り付けることができる。
【００３３】
なお、上述した実施の形態１である照明装置の取付構造は、照明装置１を取り付けた取付金具６から照明装置１が脱落することがないように、安全カバー６１を取り付けることができるようになっている。
【００３４】
安全カバー６１は、弾性変形することにより、照明装置１を取り付けた取付金具６に装着可能であって、装着した場合に取付金具６の弾性変形を阻止するようになっている。具体的には、図６−２に示すように、安全カバー６１は、腕部６１ａを有し、取付金具６の端部６ｂに装着できるようになっている。
【００３５】
このように、照明装置１を取り付けた取付金具６に安全カバー６１を装着すれば、取付金具６の弾性変形が阻止されるので、照明装置１の脱落を防止することができる。
【００３６】
（実施の形態２）
図７は、本発明の実施の形態２である照明装置の取付構造を示す図であって、図７−１は取付前の状態、図７−２は照明装置を第一の姿勢で取り付けた状態、図７−３は安全カバーを取り付けた状態、図７−４は照明装置を第二の姿勢で取り付けた状態を示したものである。
【００３７】
本実施の形態２である照明装置の取付構造は、照明装置１と左右一対となる取付金具７とを組み合わせたものであって、この取付構造によってショーケース１００に照明装置１が取り付けられるようになっている。
【００３８】
本実施の形態で取り付けられる照明装置１は、図７に示すように、側方に突出するように半円柱条の凸条２１ａ、２１ｂがケース２１の上部両側面に形成してあるとともに、一方の凸条２１ｂの頂部にはさらに三つの半球状の凸部２１ｂ１が形成してある。これら凸条２１ａと凸部２１ｂ１とに取付金具７が作用することにより、照明装置１が取り付けられるようになっている。
【００３９】
本実施の形態２で用いられる取付金具７は、ショーケース１００の取付面、すなわち、ショーケース１００の開口上面、陳列室１０１の上面、および各陳列棚１０２の下面にスポット溶接等によりそれぞれ固定されている。取付金具７は、弾性回復力を有する鋼材（たとえば、バネ鋼材）によって構成され、照明装置１の一部が収容されるようになっている。具体的には、照明装置１のケース２１の一部（上部）が収容されるようになっている（図７−２参照）。
【００４０】
図７−１に示すように、取付金具７には、支持腕部７ａと可変腕部７ｂ、支持腕部７ａと可変腕部７ｂとからそれぞれ外方に屈曲した端部７ｃとが形成してある。支持腕部７ａは、照明装置１のケース２１の一部を収容した場合にケース２１の凸条２１ａが嵌る部分であり、支持腕部７ａを支点として照明装置１を傾けることができるようになっている。
【００４１】
可変腕部７ｂには、照明装置１が第一の姿勢（図７−３に示す姿勢）となった場合に凸部２１ｂ１が嵌る三つの孔（第一の凹部）７ｂ１と、照明装置１が第二の姿勢（図７−４に示す姿勢）となった場合に凸部２１ｂ１が嵌る三つの孔（第二の凹部）７ｂ２とが形成してあり、支持腕部７ａを支点として傾けた照明装置１を第一の姿勢とすることもできれば、第二の姿勢とすることもできるようになっている。
【００４２】
実施の形態２である照明装置の取付構造によれば、左右一対となる取付金具７の支持腕部７ａのそれぞれに照明装置の凸条２１ａを嵌め込んだ後、取付金具７の弾性回復力に抗して、可変腕部７ｂのそれぞれに形成した孔７ｂ１（あるいは７ｂ２）に凸部２１ｂ１を嵌め込めば、図７−３（あるいは図７−４）に示すように、取付金具６の弾性回復力がケース２１に作用することになり、照明装置１が取り付けられることになる。
【００４３】
このように、実施の形態２である照明装置の取付構造によれば、照明装置１のケース２１に形成された凸条２１ａを支持腕部７ａに嵌め込んだ後、照明装置１のケース２１に形成された凸部２１ｂ１を可変腕部７ｂに形成した孔７ｂ１（あるいは７ｂ２）に嵌め込めば、照明装置１が取付金具７に取り付けられることになるので、照明装置１を容易に取り付けることができる。
【００４４】
また、照明装置１が第一の姿勢となった場合に凸部２１ｂ１が嵌る孔７ｂ１と、照明装置１が第二の姿勢となった場合に凸部２１ｂ１が嵌る孔７ｂ２とを取付金具７に形成したので、陳列する商品によって孔７ｂ１、７ｂ２を選択して凸部２１ｂ１を嵌め込めば照明装置１の姿勢を変えることができる。
【００４５】
なお、上述した実施の形態２である照明装置の取付構造は、照明装置１を取り付けた取付金具７から照明装置１が脱落することがないように、安全カバー７１を取り付けることができるようになっている。
【００４６】
安全カバー７１は、弾性変形することにより、照明装置１を取り付けた取付金具７に装着可能であって、装着した場合に取付金具７の弾性変形を阻止するようになっている。具体的には、図７−２に示すように、安全カバー７１は、腕部７１ａを有し、取付金具７の端部７ｃに装着できるようになっている。
【００４７】
このように、照明装置１を取り付けた取付金具７に安全カバー７１を装着すれば、取付金具７の弾性変形が阻止されるので、照明装置１の脱落を防止することができる。
【００４８】
（実施の形態３）
図８は、本発明の実施の形態３である照明装置の取付構造を示す図であって、図８−１は照明装置を第一の姿勢で取り付けた状態、図８−２は照明装置を第二の姿勢で取り付けた状態を示したものである。
【００４９】
本実施の形態３である照明装置の取付構造は、照明装置１と左右一対となる取付金具８とを組み合わせたものであって、この取付構造によってショーケース１００に照明装置１が取り付けられるようになっている。
【００５０】
本実施の形態で取り付けられる照明装置１は、図８に示すように、側方に突出するように半円柱状の凸条２１ａがケース２１の一方の側面に形成してあり、この凸条２１ａが取付金具８に作用することにより、照明装置１が取り付けられるようになっている。
【００５１】
本実施の形態３で用いられる取付金具８は、ショーケース１００の取付面、すなわち、ショーケース１００の開口正面、陳列室１０１の上面および各陳列棚１０２の下面にスポット溶接等によりそれぞれ固定されている。取付金具８は、弾性回復力を有する鋼材（たとえば、バネ鋼材）によって構成され、照明装置１の一部が収容されるようになっている。具体的には、図８に示すように、照明装置１のケース２１が収容されるようになっている。
【００５２】
図８に示すように、取付金具８には、支持腕部８ａと可変腕部７ｂとが形成してある。支持腕部８ａは、照明装置１を傾倒可能に収容する部分であって、照明装置１を第一の姿勢（たとえば、図８−１に示す水平姿勢）で収容することもできれば、第二の姿勢（たとえば、図８−２に示す傾斜姿勢）で収容することもできるようになっている。具体的には、図８−１に示すように、照明装置１の左上面に側面視三角形の隙間ができ、かつ、取付面に固定される部分が凸となるように形成してある。
【００５３】
可変腕部８ｂは、照明装置１が第一の姿勢（図８−１に示す姿勢）となった場合に凸条（凸部）２１ａが嵌る凹条（凹部）８ｂ１と、照明装置１が第二の姿勢（図８−２に示す姿勢）となった場合に凸条（凸部）２１ａが嵌る凹条（凹部）８ｂ１とが形成してあり、支持腕部８ａ周りに傾けた照明装置１を第一の姿勢とすることもできれば、第二の姿勢とすることもできるようになっている。
【００５４】
実施の形態３である照明装置の取付構造によれば、左右一対となる取付金具８の支持腕部８ａのそれぞれに照明装置を収容した後、取付金具８の弾性回復力に抗して、可変腕部７ｂのそれぞれに形成した凹条８ｂ１（あるいは８ｂ２）に凸条２１ａを嵌め込めば、図８−１（あるいは図８−２）に示すように、取付金具８の弾性回復力がケース２１に作用することになり、照明装置１が取り付けられることになる。
【００５５】
このように、実施の形態３である照明装置の取付構造によれば、照明装置１のケース２１を支持腕部８ａに収容した後、照明装置１のケース２１に形成された凸条２１ａを可変腕部８ｂに形成した凹条８ｂ１（あるいは８ｂ２）に嵌め込めば、照明装置１を容易に取り付けることができる。
【００５６】
また、照明装置１が第一の姿勢となった場合に凸条２１ａが嵌る凹条８ｂ１と、照明装置が第二の姿勢となった場合に凸条２１ａが嵌る凹条８ｂ２とを取付金具に形成したので、陳列する商品によって凹条８ｂ１、を選択して凸条２１ａを嵌め込めば照明装置１の姿勢を変えることができる。
【００５７】
実施の形態１〜３のように取り付けられた照明装置１のＬＥＤユニット２は、図９に示すように、ＬＥＤコントローラ９に接続されている。ＬＥＤコントローラ９は、ＬＥＤユニット２を制御するものであり、一のＬＥＤコントローラ９で複数（たとえば１２）のＬＥＤユニット２を制御できるようになっている。したがって、上述した実施の形態である照明装置１は、一対のＬＥＤユニット２で一の照明装置１を構成するので、一のＬＥＤコントローラ９で６の照明装置１を制御できることになる。
【００５８】
ＬＥＤコントローラ９は、主制御部（ＣＰＵ及びメモリ）９１のほか、Ｄ／Ｄコンバータ９２、白色用ＬＥＤドライバ９３ａ及び赤色用ＬＥＤドライバ９３ｂ、アナログ入力９４、通信Ｉ／Ｆ９５を備えている。そして、Ｄ／Ｄ９２から供給された直流電源は、主制御部９１のほか、白色用ＬＥＤドライバ９３ａ及び赤色用ＬＥＤドライバ９３ｂに供給されるようになっている。
【００５９】
主制御部９１には、白色ＬＥＤ２４の出力を調整するボリューム（図示せず）と、赤色ＬＥＤ２５の出力を調整するボリューム（図示せず）とが接続してあり、これらボリュームによって設定された値に基づいて、白色用ＬＥＤドライバ（基準色出力調整手段）９３ａ及び赤色用ＬＥＤドライバ（補助色出力調整手段）９３ｂを制御するようになっている。
【００６０】
白色用ＬＥＤドライバ９３ａ及び赤色用ＬＥＤドライバ９３ｂは、ＬＥＤユニット２に接続され、白色ＬＥＤ２４及び赤色ＬＥＤ２５に供給する電力を制御するようになっている。
【００６１】
アナログ入力９４には、温度センサ１０が接続可能であって、接続された温度センサ１０からの入力によりＬＥＤ２４，２５に流れる電力の制御が可能となっている。例えば、高周囲温度下においてＬＥＤ２４，２５が使用される場合には通電電流規制を行うことにより、ＬＥＤ２４，２５の過熱防止、長寿命化が可能なる。
【００６２】
通信Ｉ／Ｆ９５には、外部装置（ＬＥＤコントローラ９、パソコン）が接続可能であって、例えば、図１０−１に示すように、パソコンが接続された場合には、複数のＬＥＤコントローラ９がパソコンによって制御されることになる（外部コントロールモード）。すなわち、パソコンから設定された値が主制御部９１に接続されたボリュームから設定された値に優先して、白色用ＬＥＤドライバ（基準色出力調整手段）９３ａ及び赤色用ＬＥＤドライバ（補助色出力調整手段）９３ｂが制御されることになる。
【００６３】
また、図１０−２に示すように、一のＬＥＤコントローラ９をマスターに設定するとともに他のＬＥＤコントローラ９をスレーブに設定し、順次接続した場合には、マスターとなるＬＥＤコントローラ９によってスレーブとなるＬＥＤコントローラ９が制御されることになる（マスター／スレーブモード）。すなわち、マスターとなるＬＥＤコントローラ９においてボリュームによって設定された値が自身の主制御部９１に接続されたボリュームから設定された値に優先して、白色用ＬＥＤドライバ（基準色出力調整手段）９３ａ及び赤色用ＬＥＤドライバ（補助色出力調整手段）９３ｂが制御されることになる。
【００６４】
また、図１０−３に示すように、複数のＬＥＤコントローラ９をそれぞれ接続しない場合には、個々のＬＥＤコントローラ９が自身を制御することになる（単独動作モード）。すなわち、ＬＥＤコントローラ９は、主制御部９１に接続されたボリュームによって設定された値によって、白色用ＬＥＤドライバ（基準色出力調整手段）９３ａ及び赤色用ＬＥＤドライバ（補助色出力調整手段）９３ｂが制御されることになる。
【００６５】
上述した実施の形態である照明装置１は、ＬＥＤコントローラ９によって制御され、白色用ＬＥＤドライバ９３ａ及び赤色用ＬＥＤドライバ９３ｂから供給された電力によって、白色ＬＥＤ２４及び赤色ＬＥＤ２５から光が出射されることになる。白色ＬＥＤ２４及び赤色ＬＥＤ２５から入射した光は、導光板３に設けられた反射部（溝３１ａ）３１により反射され、他側面（下面）３ｂから直接照射され、あるいは反射シート４（凹凸）を介して照射される。
【産業上の利用可能性】
【００６６】
以上のように、本発明にかかる照明装置の取付構造は、ショーケースに陳列された商品を照らす照明装置に有用である。
【図面の簡単な説明】
【００６７】
【図１】本発明にかかる照明装置の取付構造を適用したショーケースを示す概念図である。
【図２】本発明にかかる照明装置の取付構造を適用したショーケースを示す概念図である。
【図３】図１に示した照明装置の構成を示す斜視図である。
【図４】図３に示したＬＥＤユニットの構成を示す斜視図である。
【図５】図３のＩＶ−ＩＶ断面図である。
【図６−１】本発明の実施の形態１である照明装置の取付構造を示す図であって、取付前の状態を示したものである。
【図６−２】本発明の実施の形態１である照明装置の取付構造を示す図であって、取付後の状態を示したものである。
【図６−３】本発明の実施の形態１である照明装置の取付構造を示す図であって、安全カバーを取り付けた状態を示したものである。
【図７−１】本発明の実施の形態２である照明装置の取付構造を示す図であって、取付前の状態を示したものである。
【図７−２】本発明の実施の形態２である照明装置の取付構造を示す図であって、照明装置を第一の姿勢で取り付けた状態を示したものである。
【図７−３】本発明の実施の形態２である照明装置の取付構造を示す図であって、安全カバーを取り付けた状態を示したものである。
【図７−４】本発明の実施の形態２である照明装置の取付構造を示す図であって、照明装置を第二の姿勢で取り付けた状態を示したものである。
【図８−１】本発明の実施の形態３である照明装置の取付構造を示す図であって、照明装置を第一の姿勢で取り付けた状態を示したものである。
【図８−２】本発明の実施の形態３である照明装置の取付構造を示す図であって、照明装置を第二の姿勢で取り付けた状態を示したものである。
【図９】図４に示したＬＥＤユニットを制御するコントローラを示すブロック図である。
【図１０−１】外部装置からの入力により、複数のコントローラの設定を行う外部コントロールモードを示すブロック図である。
【図１０−２】スレーブとなるコントローラの設定をマスターとなるコントローラの設定と同一の設定とするマスター／スレーブモードを示すブロック図である。
【図１０−３】複数のコントローラの設定をそれぞれ単独で行う単独動作モードを示すブロック図である。
【符号の説明】
【００６８】
１    照明装置
２    ＬＥＤユニット
２１    ケース
２１ａ    凸条（凸部）
２１ｂ    凸条
２１ｂ１    凸部
２２    ＬＥＤ基板
２３    反射部材
２４    白色ＬＥＤ
２５    赤色ＬＥＤ
３    導光板
３１    反射部
３１ａ    溝
４    反射シート
５    ステー
５ａ    ステー下面
５１    空隙
６    取付金具
６ａ    腕部
６ｂ    端部
６１    安全カバー
６１ａ    腕部
７    取付金具
７ａ    支持腕部
７ｂ    可変腕部
７ｂ１，７ｂ２    孔（凹部）
７ｃ    端部
７１    安全カバー
７１ａ    腕部
８    取付金具
８ａ    支持腕部
８ｂ    可変腕部
８ｂ１，８ｂ２    凹条（凹部）
９    ＬＥＤコントローラ
９１    主制御部
９２    Ｄ／Ｄコンバータ
９３ａ    白色用ＬＥＤドライバ
９３ｂ    赤色用ＬＥＤドライバ
９４    アナログ入力
９５    通信Ｉ／Ｆ
１０    温度センサ
１００    ショーケース
１０１    陳列室
１０２    陳列棚
１０３    棚タグモール
１０４    フェンス
【図１】
2009176530.tif 000003
【図２】
2009176530.tif 000004
【図３】
2009176530.tif 000005
【図４】
2009176530.tif 000006
【図５】
2009176530.tif 000007
【図６−１】
2009176530.tif 000008
【図６−２】
2009176530.tif 000009
【図６−３】
2009176530.tif 000010
【図７−１】
2009176530.tif 000011
【図７−２】
2009176530.tif 000012
【図７−３】
2009176530.tif 000013
【図７−４】
2009176530.tif 000014
【図８−１】
2009176530.tif 000015
【図８−２】
2009176530.tif 000016
【図９】
2009176530.tif 000017
【図１０−１】
2009176530.tif 000018
【図１０−２】
2009176530.tif 000019
【図１０−３】
2009176530.tif 000020